(57)【要約】【課題】利便性を向上できるチャック付き袋を備えた複合容器を提供する。【解決手段】軟質樹脂フィルムにより形成した袋本体１１の上端の内面に一対のチャック部材１２を対向配置したチャック付き袋と、前面部と背面部と両側端の折罫とを有して厚紙により形成されるとともにチャック付き袋１０を挿通する筒状のスリーブ２０とを備え、チャック部材１２の近傍でスリーブ２０をチャック付き袋１０に接着した。【選択図】図１
2013212879.tif 000002
【特許請求の範囲】
【請求項１】
軟質樹脂フィルムにより形成した袋本体の上端の内面に一対のチャック部材を対向配置したチャック付き袋と、前面部と背面部と両側端の折罫とを有して厚紙により形成されるとともに前記チャック付き袋を挿通する筒状のスリーブとを備え、前記チャック部材の近傍で前記スリーブを前記チャック付き袋に接着したことを特徴とする複合容器。
【請求項２】
前記スリーブが、前記前面部と前記背面部のそれぞれに左右方向の中央部を通る縦方向に延びた中央折り線を有し、前記スリーブの両側端の押圧時に前記中央折り線が外側に山折りされることを特徴とする請求項１に記載の複合容器。
【請求項３】
前記スリーブは前記チャック部材よりも下方の両側端に押圧箇所を示す表示部を有することを特徴とする請求項１または請求項２に記載の複合容器。
【請求項４】
前記スリーブが、前記チャック部材の下方で両側端から前記前面部及び前記背面部を横方向に切断した第１スリットと、第１スリットの下方で両側端から前記前面部及び前記背面部を横方向に切断した第２スリットと、前記スリーブの前記前面部及び前記背面部でそれぞれ第１スリットの内端と第２スリットの内端とを結ぶ端部折り線とを有し、第１スリットと第２スリットとの間の押圧時に前記端部折り線が外側に山折りされることを特徴とする請求項１〜請求項３のいずれかに記載の複合容器。
【請求項５】
前記スリーブの下端が前記チャック付き袋の下端よりも下方に配され、前記端部折り線が前記スリーブの下端まで延びて形成されることを特徴とする請求項４に記載の複合容器。
【請求項６】
一対の前記チャック部材が対向して係合する雄部及び雌部から成り、前記雄部が前記袋本体の内面に固着して突設される第１支持部と第１支持部に連続する係合面を上方及び下方に突出する係合部とを有するとともに、前記雌部が前記袋本体の内面に固着して突設される第２支持部と第２支持部に連続して前記係合部に係合する凹部とを有し、下方の前記係合面を第１支持部に対して鈍角に形成したことを特徴とする請求項１〜請求項５のいずれかに記載の複合容器。
【請求項７】
前記スリーブが前記前面部及び前記背面部のそれぞれの左右端の上部に、上端から下方に延びる上部折り線を有することを特徴とする請求項１〜請求項６のいずれかに記載の複合容器。
【請求項８】
前記スリーブの坪量を２６０〜４５０ｇ／ｍ2にしたことを特徴とする請求項１〜請求項７のいずれかに記載の複合容器。
【請求項９】
前記スリーブの横幅を６０ｍｍ〜１２０ｍｍに形成したことを特徴とする請求項１〜請求項８のいずれかに記載の複合容器。
【発明の詳細な説明】
【技術分野】
【０００１】
本発明は、粉体や粒体の内容物を収納するチャック付き袋を有した複合容器に関する。
【背景技術】
【０００２】
食品等の粉体や粒体の内容物を収納するチャック付き袋は特許文献１に開示される。このチャック付き袋は軟質樹脂フィルムの袋本体の上端に開口部を有し、開口部の内面に一対のチャック部材が対向配置される。チャック部材の係合によってチャック付き袋が密封される。また、チャック付き袋の対向する前面の上端と背面の上端とをそれぞれ両手の手指で摘持して離れる方向に引くとチャック部材の係合が解除され、チャック付き袋が開封される。
【先行技術文献】
【特許文献】
【０００３】
【特許文献１】実開平１−９４２５５号公報（第２図）
【発明の概要】
【発明が解決しようとする課題】
【０００４】
しかしながら、上記従来のチャック付き袋によると、開封時に両手の手指で前面部の上端と背面部の上端とをそれぞれ摘持するため、使用者の片手が塞がっていると開封できない。また、上端で接近するチャック付き袋の前面と背面とを使用者が容易に摘持できない場合がある。このため、チャック付き袋の利便性が悪い問題があった。
【０００５】
本発明は、利便性を向上できるチャック付き袋を備えた複合容器を提供することを目的とする。
【課題を解決するための手段】
【０００６】
上記目的を達成するために本発明は、軟質樹脂フィルムにより形成した袋本体の上端の内面に一対のチャック部材を対向配置したチャック付き袋と、前面部と背面部と両側端の折罫とを有して厚紙により形成されるとともに前記チャック付き袋を挿通する筒状のスリーブとを備え、前記チャック部材の近傍で前記スリーブを前記チャック付き袋に接着したことを特徴としている。
【０００７】
この構成によると、チャック付き袋は軟質樹脂フィルムの袋本体の上端の内面に一対のチャック部材が対向配置される。スリーブは厚紙により形成され、チャック付き袋が挿通される。複合容器を把持してチャック部材よりも下方でスリーブの両側端を手指や掌で押圧すると、スリーブの前面部及び背面部が外側に湾曲する。スリーブの湾曲によってスリーブに接着されたチャック付き袋の対向する前面と背面とがチャック部材の近傍で互いに離れる。これにより、チャック部材の係合が解除され、チャック付き袋が開封される。
【０００８】
また本発明は、上記構成の複合容器において、前記スリーブが、前記前面部と前記背面部のそれぞれに左右方向の中央部を通る縦方向に延びた中央折り線を有し、前記スリーブの両側端の押圧時に前記中央折り線が外側に山折りされることを特徴としている。この構成によると、スリーブの両側端を押圧するとスリーブの前面部及び背面部が中央折り線で外側に山折りされる。これにより、チャック付き袋の前面と背面とがチャック部材の近傍で互いに離れ、チャック部材の係合が解除される。
【０００９】
また本発明は、上記構成の複合容器において、前記スリーブは前記チャック部材よりも下方の両側端に押圧箇所を示す表示部を有することを特徴としている。
【００１０】
また本発明は、上記構成の複合容器において、前記スリーブが、前記チャック部材の下方で両側端から前記前面部及び前記背面部を横方向に切断した第１スリットと、第１スリットの下方で両側端から前記前面部及び前記背面部を横方向に切断した第２スリットと、前記スリーブの前記前面部及び前記背面部でそれぞれ第１スリットの内端と第２スリットの内端とを結ぶ端部折り線とを有し、第１スリットと第２スリットとの間の押圧時に前記端部折り線が外側に山折りされることを特徴としている。
【００１１】
この構成によると、スリーブの一側端の第１スリットと第２スリットとの間に例えば親指を配置して他側端の第１スリットと第２スリットとの間に例えば人差し指が配置される。親指と人差し指が接近するようにスリーブの両側端を押圧すると、端部折り線が山折りされて端部折り線上でスリーブが更に押圧される。これにより、スリーブの前面部及び背面部が外側に湾曲してチャック部材が開封される。また、端部折り線の山折りにより第１スリットと第２スリットとの間が凹んだ状態を保持される。これにより、スリーブの前面部と背面部とが離れて開封端が広げられた状態が保持される。
【００１２】
また本発明は、上記構成の複合容器において、前記スリーブの下端が前記チャック付き袋の下端よりも下方に配され、前記端部折り線が前記スリーブの下端まで延びて形成されることを特徴としている。この構成によると、端部折り線の山折りによってスリーブが下端まで広げられた状態を保持され、スリーブの下端によって複合容器を卓上に立設することができる。
【００１３】
また本発明は、上記構成の複合容器において、一対の前記チャック部材が対向して係合する雄部及び雌部から成り、前記雄部が前記袋本体の内面に固着して突設される第１支持部と第１支持部に連続する係合面を上方及び下方に突出する係合部とを有するとともに、前記雌部が前記袋本体の内面に固着して突設される第２支持部と第２支持部に連続して前記係合部に係合する凹部とを有し、下方の前記係合面を第１支持部に対して鈍角に形成したことを特徴としている。
【００１４】
この構成によると、チャック部材は雄部の係合部の係合面を雌部の凹部に係合して閉じられる。チャック部材の雄部の係合面は第１支持部に連続し、雌部が係合面上を摺動してチャック部材が開かれる。下方の係合面は第１支持部に対して鈍角に形成され、弱い力で雌部に対して係合解除される。これにより、スリーブの両側端の押圧によってチャック部材の下方から容易にチャック付き袋が開封される。
【００１５】
また本発明は、上記構成の複合容器において、前記スリーブが前記前面部及び前記背面部のそれぞれの左右端の上部に、上端から下方に延びる上部折り線を有することを特徴としている。この構成によると、内容物の収納時に所定の装置によって上部折り線の外側の領域が保持され、上部折り線を折曲してチャック付き袋の上端が開口される。
【００１６】
また本発明は、上記構成の複合容器において、前記スリーブの坪量を２６０〜４５０ｇ／ｍ2にしたことを特徴としている。
【００１７】
また本発明は、上記構成の複合容器において、前記スリーブの横幅を６０ｍｍ〜１２０ｍｍに形成したことを特徴としている。
【発明の効果】
【００１８】
本発明によると、チャック付き袋を挿通する厚紙により形成したスリーブをチャック部材の近傍でチャック付き袋に接着したので、複合容器を片手で把持してチャック部材よりも下方でスリーブの両側端を押圧すると、チャック付き袋が開封される。これにより、チャック付き袋の上端を摘持する必要がなく、使用者の片手が塞がっていてもチャック付き袋を開封することができる。従って、使用者の利便性を向上することができる。
【図面の簡単な説明】
【００１９】
【図１】本発明の第１実施形態の複合容器を示す斜視図
【図２】本発明の第１実施形態の複合容器を示す上面断面図
【図３】本発明の第１実施形態の複合容器のスリーブを示す展開図
【図４】本発明の第１実施形態の複合容器のチャック部材を示す縦断面図
【図５】本発明の第２実施形態の複合容器を示す斜視図
【図６】本発明の第２実施形態の複合容器を示す上面断面図
【図７】本発明の第２実施形態の複合容器のスリーブを示す展開図
【図８】本発明の第３実施形態の複合容器を示す斜視図
【図９】本発明の第４実施形態の複合容器を示す斜視図
【図１０】本発明の第４実施形態の複合容器のスリーブを示す展開図
【図１１】本発明の第４実施形態の複合容器の内容物収納時の状態を示す斜視図
【発明を実施するための形態】
【００２０】
以下に図面を参照して本発明の実施形態を説明する。図１は第１実施形態の複合容器の斜視図を示しており、図２は後述する接着剤３０上を通る上面断面図を示している。複合容器１はチャック付き袋１０を筒状のスリーブ２０に挿通して形成され、使用者の片手の掌に入るようにスリーブ２０の横幅が６０〜１２０ｍｍに形成される。
【００２１】
チャック付き袋１０は軟質樹脂フィルムにより形成される袋本体１１と、袋本体１１の内面に熱接着される対向配置した一対のチャック部材１２とを有している。袋本体１１は上端を一端から他端にわたって熱接着され、両側端及び下端の三辺を熱接着部１０ｂにより熱接着して形成される。袋本体１１の両側端及び下端の一辺を折曲し、二辺を熱接着部１０ｂにより熱接着してもよい。
【００２２】
喫食時には上端の熱接着した領域を横方向に破断して切り取り、開口部１０ａが形成される。開口部１０ａに沿って左右方向に延びて配されるチャック部材１２の係脱によって開口部１０ａが開閉される。尚、袋本体１１の上端を熱接着せずに、開口部１０ａを備えたものでもよい。
【００２３】
チャック付き袋１０内にはガムやグミ等の菓子、ふりかけ等の粉末や顆粒状の調味料、錠剤や顆粒状の健康食品等の粉体や粒状の内容物が密閉して収納される。
【００２４】
スリーブ２０には詳細を後述するように折り曲げと折り戻しとを繰り返される複数の折り線２１、２２が設けられる。このため、スリーブ２０は折り線２１、２２以外の部分で折曲されないように、坪量が２６０〜４５０ｇ／ｍ2の厚紙により形成される。スリーブ２０はチャック部材１２の近傍の左右方向の中央部で接着剤３０によりチャック付き袋１０に接着される。
【００２５】
スリーブ２０の上端はチャック付き袋１０の上端とチャック部材１２との間に配される。スリーブ２０の上端をチャック部材１２の下方に配してもよい。また、スリーブ２０の下端はチャック付き袋１０の下端よりも下方に配される。
【００２６】
図３はスリーブ２０の展開図を示している。スリーブ２０は折り線２３で隣接する前面部２０ａと背面部２０ｂとを有している。背面部２０ｂは前面部２０ａの両側方に分割され、一端に折り線２１を介して隣接する糊代２０ｃで接着される。これにより、スリーブ２０が折り線２３を両側端の折罫として筒状に形成される。
【００２７】
前面部２０ａ及び背面部２０ｂの左右方向の中央には縦方向に延びて外側に山折りされる折り線２１（中央折り線）が設けられる。前面部２０ａ及び背面部２０ｂの両側端には横方向に切断した第１スリット２４及び第２スリット２５が上下に並設される。第１スリット２４はチャック部材１２（図１参照）よりも下方に配され、第２スリット２５は第１スリット２４の下方に配される。第２スリット２５は第１スリット２４よりも切り込み深さが深くなっている。尚、第１スリット２４及び第２スリット２５をスリーブ２０の上下方向の中央部に近い側に設けると、弱い力でチャック部材１２を開封することができるのでより好ましい。
【００２８】
また、前面部２０ａ及び背面部２０ｂには第１スリット２４の内端と第２スリット２５の内端とを結ぶ外側に山折りされる折り線２２（端部折り線）が設けられる。折り線２２はスリーブ２０の下端まで延び、下方が折り線２１に近づくように傾斜して形成される。
【００２９】
図４はチャック部材１２の縦断面図を示している。一対のチャック部材１２は対向する雄部１３と雌部１４とにより形成される。雄部１３は袋本体１１の内面に突設される支持部１３ａ（第１支持部）と、支持部１３ａの先端に設けられる係合部１３ｂとを有している。係合部１３ｂは支持部１３ａから上下方向に突出する係合面１３ｃが袋本体１１に面して形成される。
【００３０】
雌部１４は袋本体１１の内面に突設される支持部１４ａ（第２支持部）と、支持部１４ａの先端に配して係合部１３ｂが嵌合する凹部１４ｂと、凹部１４ｂの先端に設けられる爪部１４ｃとを有している。爪部１４ｃは凹部１４ｂの上下端から互いに接近する方向に突出し、雄部１３の係合面１３ｃに係合する。
【００３１】
係合部１３ｂが凹部１４ｂに嵌合して爪部１４ｃが係合面１３ｃに係合することにより、チャック部材１２によってチャック付き袋１０が密封される。また、雄部１３と雌部１４とが離れる方向に加重されると爪部１４ｃが係合面１３ｃ上を摺動して爪部１４ｃと係合面１３ｃとの係合が解除される。これにより、チャック付き袋１０の開口部１０ａが開封される。この時、支持部１３ａの上方及び下方の係合面１３ｃは支持部１３ａに対して鈍角に形成される。これにより、雄部１３と雌部１４との係合力が弱く、チャック部材１２の下方及び上方から容易に離すことができる。
【００３２】
上記構成の複合容器１において、スリーブ２０の上部を手指で押圧してチャック部材１２の雄部１３と雌部１４とが係合すると複合容器１のチャック付き袋１０が密封される。スリーブ２０の上端はチャック付き袋１０の上端よりも下方に配されるため、密封されたチャック付き袋１０の前面及び背面の上端を摘持して開封することもできる。
【００３３】
また、密封された複合容器１を使用者の掌で把持し、スリーブ２０の両側端の第１スリット２４と第２スリット２５との間にそれぞれ手指（例えば、親指と人差し指）が配される。両側端の手指が接近するようにスリーブ２０の両側端を押圧すると、厚紙により形成されるスリーブ２０は剛性が高いため折り線２２で山折りされる。
【００３４】
更に折り線２２上でスリーブ２０が手指により押圧されると、スリーブ２０が折り線２１で山折りされる。折り線２２の山折りによって簡単に折り線２１を山折りさせることができる。折り線２１の山折りによって接着部３０を介してスリーブ２０に接着されるチャック付き袋１０の前面と背面とが左右方向の中央部で離される。これにより、チャック部材１２の係合が解除され、片手でチャック付き袋１０の開口部１０ａを開封することができる。この時、雄部１３の下方の係合面１３ｃが支持部１３ａに対して鈍角に形成されるため、容易にチャック部材１２の係合を解除することができる。
【００３５】
また、第１スリット２４と第２スリット２５との間が押圧により若干凹んだ状態を保持され、凹部２６（図１参照）が形成される。これにより、スリーブ２０の前面部２０ａと背面部２０ｂとが離れて開口部１０ａが広げられた状態を保持される。
【００３６】
また、チャック付き袋１０の下端よりも下方に配されるスリーブ２０の下端まで折り線２２が延びるため、スリーブ２０の下端が広げられる。これにより、厚紙のスリーブ２０によって複合容器１を卓上等に立設させることができる。
【００３７】
本実施形態によると、チャック付き袋１０を挿通する厚紙により形成したスリーブ２０をチャック部材１２の近傍でチャック付き袋１０に接着したので、複合容器１を片手で把持してチャック部材１２よりも下方でスリーブ２０の両側端を押圧すると、チャック付き袋１０が開封される。これにより、チャック付き袋１０の上端を摘持する必要がなく、使用者の片手が塞がっていてもチャック付き袋１０を開封することができる。従って、チャック付き袋１０を備えた複合容器１の利便性を向上することができる。
【００３８】
また、チャック部材１２の下方近傍で左右方向の中央部を通る縦方向に延びた折り線２１（中央折り線）がスリーブ２０の両側端の押圧時に外側に山折りされる。これにより、折り線２１で山折りされたスリーブ２０によってチャック部材１２の係合を容易に解除することができる。尚、折り線２１をチャック部材１２の下方近傍で左右方向の中央部を通るように傾斜して形成してもよい。
【００３９】
また、スリーブ２０がチャック部材１２の下方で両側端から横方向に切断した第１、第２スリット２４、２５を有し、第１、第２スリット２４、２５の内端を結ぶ折り線２２（端部折り線）が設けられる。これにより、第１、第２スリット２４、２５間の押圧によってチャック部材１２の係合を解除することができる。従って、第１、第２スリット２４、２５がスリーブ２０の押圧箇所を示すマーキング（表示部）を形成し、使用者が押圧箇所を容易に判別することができる。
【００４０】
加えて、第１、第２スリット２４、２５間の押圧により凹部２６が形成されるため、開口部１０ａが広げられた状態を保持される。従って、複合容器１の利便性をより向上することができる。
【００４１】
また、スリーブ２０の下端がチャック付き袋１０の下端よりも下方に配され、折り線２２がスリーブ２０の下端まで延びるため、スリーブ２０の下端が広げられて複合容器１を卓上等に立設させることができる。従って、複合容器１の利便性をより向上することができる。
【００４２】
また、チャック部材１２の雄部１３の下方の係合面１３ｃを支持部１３ａ（第１支持部）に対して鈍角に形成している。これにより、チャック部材１２の下方で接着剤３０によりスリーブ２０とチャック付き袋１０とを接着した際に、スリーブ２０の両側端の押圧によってチャック部材１２の係合を容易に解除することができる。
【００４３】
また、スリーブ２０を坪量が２６０〜４５０ｇ／ｍ2の厚紙により形成したので、両側端の押圧によってチャック付き袋１０を開封できる複合容器１を容易に実現することができる。
【００４４】
また、スリーブ２０の横幅を６０ｍｍ〜１２０ｍｍに形成したので、複合容器１を使用者の片手の掌で把持して容易に開封することができる。
【００４５】
次に、図５は第２実施形態の複合容器１の斜視図を示しており、図６は接着剤３０上を通る上面断面図を示している。説明の便宜上、前述の図１〜図４に示す第１実施形態と同様の部分には同一の符号を付している。本実施形態は第１実施形態に対してスリーブ２０の第１、第２スリット２４、２５及び折り線２２（いずれも図１参照）が省かれている。その他の部分は第１実施形態と同様である。
【００４６】
図７はスリーブ２０の展開図を示している。スリーブ２０は前面部２０ａの折り線２３を介して一側方に隣接する背面部２０ｂと他側方に隣接する糊代２０ｃを有している。糊代２０ｃを背面部２０ｂに接着してスリーブ２０が折り線２３を側端として筒状に形成される。また、前面部２０ａ及び背面部２０ｂの左右方向の中央には縦方向に延びて外側に山折りされる折り線２１（中央折り線）が設けられる。
【００４７】
前面部２０ａ及び背面部２０ｂの両側端にはチャック部材１２（図５参照）よりも下方に配される表示部２７が印刷により形成される。
【００４８】
上記構成の複合容器１において、密封された複合容器１を使用者の掌で把持してスリーブ２０の両側端の表示部２７が手指により押圧される。スリーブ２０は厚紙により形成されるため剛性が高く、押圧によって折り線２１で山折りされる。折り線２１の山折りによって接着部３０を介してスリーブ２０に接着されるチャック付き袋１０の前面と背面とが左右方向の中央部で離される。これにより、チャック部材１２の係合が解除され、片手でチャック付き袋１０の開口部１０ａを開封することができる。
【００４９】
本実施形態によると、第１実施形態と同様に、チャック付き袋１０を挿通する厚紙により形成したスリーブ２０をチャック部材１２の近傍でチャック付き袋１０に接着したので、複合容器１を片手で把持してチャック部材１２よりも下方でスリーブ２０の両側端を押圧すると、チャック付き袋１０が開封される。これにより、チャック付き袋１０の上端を摘持する必要がなく、使用者の片手が塞がっていてもチャック付き袋１０を開封することができる。従って、使用者の利便性を向上することができる。
【００５０】
また、チャック部材１２の下方近傍で左右方向の中央部を通る縦方向に延びた折り線２１（中央折り線）がスリーブ２０の両側端の押圧時に外側に山折りされる。これにより、折り線２１で山折りされたスリーブ２０によってチャック部材１２の係合を容易に解除することができる。
【００５１】
また、スリーブ２０の両側端に押圧箇所を示す表示部２７を形成したので、使用者が押圧箇所を容易に判別することができる。
【００５２】
次に、図８は第３実施形態の複合容器１の斜視図を示している。説明の便宜上、前述の図５〜図７に示す第２実施形態と同様の部分には同一の符号を付している。本実施形態は第２実施形態に対してスリーブ２０の折り線２１（図５参照）が省かれている。その他の部分は第２実施形態と同様である。
【００５３】
上記構成の複合容器１において、密封された複合容器１を使用者の掌で把持してスリーブ２０両側端の表示部２７が手指により押圧される。スリーブ２０は押圧によって前面部２０ａ及び背面部２０ｂ（図７参照）が離れる方向に湾曲する。スリーブ２０の湾曲によって接着部３０を介してスリーブ２０に接着されるチャック付き袋１０の前面と背面とが左右方向の中央部で離される。これにより、チャック部材１２の係合が解除され、片手でチャック付き袋１０の開口部１０ａを開封することができる。
【００５４】
本実施形態によると、第１実施形態と同様に、チャック付き袋１０を挿通する厚紙により形成したスリーブ２０をチャック部材１２よりも下方でチャック付き袋１０に接着したので、複合容器１を片手で把持してチャック部材１２の近傍でスリーブ２０の両側端を押圧すると、チャック付き袋１０が開封される。これにより、チャック付き袋１０の上端を摘持する必要がなく、使用者の片手が塞がっていてもチャック付き袋１０を開封することができる。従って、使用者の利便性を向上することができる。
【００５５】
次に、図９は第４実施形態の複合容器１の斜視図を示している。また、図１０はスリーブ２０の展開図を示している。説明の便宜上、前述の図１〜図４に示す第１実施形態と同様の部分には同一の符号を付している。本実施形態は第１実施形態に対してスリーブ２０の上端部に折り線２８が設けられる。その他の部分は第１実施形態と同様である。
【００５６】
折り線２８（上部折り線）はスリーブ２０の前面部２０ａの左右の端部及び背面部２０ｂの左右の端部にそれぞれ設けられ、内側に谷折りされるように形成される。また、折り線２８はスリーブ２０の上端から下方に延び、第１スリット２４の上方で外側を下方に傾斜する方向に屈曲して折り線２３に連結される。
【００５７】
図１１は複合容器１に内容物を収納する時の状態を示す斜視図である。内容物収納時にはスリーブ２０の左右端がそれぞれ一対のアーム４１を有した保持装置４０よって保持される。この時、保持装置４０は折り線２８の外側の領域を保持する。スリーブ２０を保持した左右の保持装置４０は矢印Ａに示すように互いに接近する方向に移動する。これにより、折り線２８が谷折りされ、チャック付き袋１０の上端が開口する。
【００５８】
内容物は上方からチャック付き袋１０内に挿入される。内容物を収納したチャック付き袋１０はチャック部材１２を閉じられ、上端部を熱溶着される。これにより、内容物を収納して密封された複合容器１が得られる。
【００５９】
スリーブ２０に折り線２８が設けられていない場合は、両保持部材４０が互いに接近するとスリーブ２０上の不定位置に折り目や皺が形成される。これにより、複合容器１に内容物を収納した商品の商品価値が低下する。スリーブ２０に折り線２８を設けると、両保持部材４０が互いに接近した際に折り線２８で谷折りされる。これにより、商品価値の低下を防止することができる。また、折り線２８の下端部が外側を下方に傾斜するため、保持装置４０の移動時に容易に折り線２８上でスリーブ２８を折曲することができる。
【００６０】
本実施形態によると、スリーブ２０の上端から下方に延びる折り線２８（上部折り線）をスリーブ２０の上端部の左右端に形成したので、内容物収納時のスリーブ上の折り目や皺が防止される。従って、複合容器１に内容物を収納した商品の商品価値低下を防止することができる。
【００６１】
第１〜第４実施形態において、チャック付き袋１０とスリーブ２０とを接着する接着剤３０の接着面積は特に限定されないが、スポット状に接着するとより望ましい。これにより、樹脂製のチャック付き袋１０と紙製のスリーブ２０とを容易に分離して分別廃棄することができる。この時、上記各実施形態に示すようにチャック付き袋１０がチャック部材１２の下方近傍で左右方向の中央部をスリーブ２０に接着されると更に望ましい。これにより、スリーブ２０の押圧による左右方向の中央部の変形により、接着剤３０を介してチャック部材１２を中央部から容易に離すことができる。
【産業上の利用可能性】
【００６２】
本発明によると、食品等の粉体や粒体の内容物を収納するチャック付き袋を有した複合容器に利用することができる。
【符号の説明】
【００６３】
１    複合容器
１０    チャック付き袋
１０ａ  開口部
１１    袋本体
１２    チャック部材
１３    雄部
１３ａ  支持部
１３ｂ  係合部
１３ｃ  係合面
１４    雌部
１４ａ  支持部
１４ｂ  凹部
１４ｃ  爪部
２０    スリーブ
２０ａ  前面部
２０ｂ  背面部
２０ｃ  糊代
２１    折り線（中央折り線）
２２    折り線（端部折り線）
２３    折り線
２４    第１スリット
２５    第２スリット
２７    表示部
２８    折り線（上部折り線）
３０    接着剤
４０    保持装置
４１    アーム
【図１】
2013212879.tif 000003
【図２】
2013212879.tif 000004
【図３】
2013212879.tif 000005
【図４】
2013212879.tif 000006
【図５】
2013212879.tif 000007
【図６】
2013212879.tif 000008
【図７】
2013212879.tif 000009
【図８】
2013212879.tif 000010
【図９】
2013212879.tif 000011
【図１０】
2013212879.tif 000012
【図１１】
2013212879.tif 000013